(57)【要約】【課題】沸き増し運転を促すことで、湯切れを確実に防止する。【解決手段】制御装置２７には、人感センサ３５の検出値に応じて人が前記リモコンの近傍にいるか否かを判定する人判定手段３６と、前記リモコンで沸き増し運転の休止が設定されているか否かを判定する休止判定手段３０と、前記残湯量と人判定手段３６と休止判定手段３０との判定結果に基づいて前記報知手段から沸き増し運転をユーザーに推奨する旨の報知を行う沸き増し推奨判定手段３８とを設け、沸き増し推奨判定手段３８は、人判定手段３６が前記リモコン近傍に人がいることを判定した場合、休止判定手段３０で休止状態であることを判定していると共に、貯湯タンク１内の残湯量が前記所定残湯量よりも少なくなっていることを検出すると、前記報知手段から沸き増し運転を促す報知を行うようにした。【選択図】図２
2020186836.tif 000002
【特許請求の範囲】
【請求項１】
湯水を貯湯する貯湯タンクと、
前記貯湯タンク内の湯水を加熱する加熱手段と、
各種の設定や駆動指示を出力するリモコンと、
所定時間帯に前記加熱手段によって前記貯湯タンク内の湯水を加熱する沸き上げ運転を行い、前記所定時間帯以外の時間帯に前記貯湯タンク内の残湯量が所定残湯量よりも少なくなったことを検出すると、前記加熱手段によって前記貯湯タンク内の湯水を加熱する沸き増し運転を行い、前記リモコンで沸き増し運転の休止を設定されている場合、前記所定時間帯以外の時間帯に前記貯湯タンク内の残湯量が前記所定残湯量よりも少なくなったことを検出しても沸き増し運転を行なわないように制御する制御装置とを設け、
前記リモコンには、
前記沸き増し運転の休止を設定できると共に前記沸き増し運転の駆動指示を行うことができる操作部と、
人に所定の動作を促す報知をする報知手段と、
前記リモコン近傍に人がいることを検出する人感センサとを備えた貯湯式給湯機において、
前記制御装置には、前記人感センサの検出値に応じて人が前記リモコンの近傍にいるか否かを判定する人判定手段と、
前記リモコンで沸き増し運転の休止が設定されているか否かを判定する休止判定手段と、
前記残湯量と前記人判定手段と前記休止判定手段との判定結果に基づいて前記報知手段から沸き増し運転をユーザーに推奨する旨の報知を行う沸き増し推奨判定手段とを設け、
前記沸き増し推奨判定手段は、前記人判定手段が前記リモコン近傍に人がいることを判定した場合、前記休止判定手段で休止状態であることを判定していると共に、前記貯湯タンク内の残湯量が前記所定残湯量よりも少なくなっていることを検出すると、前記報知手段から沸き増し運転を促す報知を行うようにしたことを特徴とする貯湯式給湯機。
【請求項２】
前記リモコンは、前記人感センサを内蔵すると共に、浴室内に設けられるものであるようにしたことを特徴とする請求項１記載の貯湯式給湯機。
【発明の詳細な説明】
【技術分野】
【０００１】
本発明は、貯湯式給湯機に関するものであり、より具体的には所定時間帯以外の時間帯に貯湯タンク内の残湯量が少なくなったら加熱手段で沸き上げる沸き増し運転とを制御する制御装置を備えた貯湯式給湯機に関するものである。
【背景技術】
【０００２】
従来よりこの種の貯湯式給湯装置においては、貯湯槽の湯水を沸き上げる沸き上げ動作を禁止する運転休止モードを有し、前記運転休止モードは、複数の異なる時間帯にて、前記リモコンから設定できるようなものが知られていた（特許文献１参照）。
【先行技術文献】
【特許文献】
【０００３】
【特許文献１】特開２０１９−０４５１０７号公報
【発明の概要】
【発明が解決しようとする課題】
【０００４】
しかし、特許文献１は、この運転休止モードを長い時間帯に設定していた場合、貯湯タンクの残湯量が急激に減少し、湯切れの危険がある場合でも沸き上げが行われず、湯切れによりユーザーに不快な思いをさせる可能性があるという問題があった。
【課題を解決するための手段】
【０００５】
本発明は上記課題を解決するため、湯水を貯湯する貯湯タンクと、前記貯湯タンク内の湯水を加熱する加熱手段と、各種の設定や駆動指示を出力するリモコンと、所定時間帯に前記加熱手段によって前記貯湯タンク内の湯水を加熱する沸き上げ運転を行い、前記所定時間帯以外の時間帯に前記貯湯タンク内の残湯量が所定残湯量よりも少なくなったことを検出すると、前記加熱手段によって前記貯湯タンク内の湯水を加熱する沸き増し運転を行い、前記リモコンで沸き増し運転の休止を設定されている場合、前記所定時間帯以外の時間帯に前記貯湯タンク内の残湯量が前記所定残湯量よりも少なくなったことを検出しても沸き増し運転を行なわないように制御する制御装置とを設け、前記リモコンには、前記沸き増し運転の休止を設定できると共に前記沸き増し運転の駆動指示を行うことができる操作部と、人に所定の動作を促す報知をする報知手段と、前記リモコン近傍に人がいることを検出する人感センサとを備えた貯湯式給湯機において、前記制御装置には、前記人感センサの検出値に応じて人が前記リモコンの近傍にいるか否かを判定する人判定手段と、前記リモコンで沸き増し運転の休止が設定されているか否かを判定する休止判定手段と、前記残湯量と前記人判定手段と前記休止判定手段との判定結果に基づいて前記報知手段から沸き増し運転をユーザーに推奨する旨の報知を行う沸き増し推奨判定手段とを設け、前記沸き増し推奨判定手段は、前記人判定手段が前記リモコン近傍に人がいることを判定した場合、前記休止判定手段で休止状態であることを判定していると共に、前記貯湯タンク内の残湯量が前記所定残湯量よりも少なくなっていることを検出すると、前記報知手段から沸き増し運転を促す報知を行うようにした。
【０００６】
また、前記リモコンは、前記人感センサを内蔵すると共に、浴室内に設けられるものであるようにした。
【発明の効果】
【０００７】
本発明によれば、リモコンの近傍に人がいると判定した場合、現在の貯湯タンクの残湯量が所定残湯量よりも少ないと共に、休止判定手段が沸き増し休止を設定されていることを判定すると、沸き増し運転をしなければ湯切れの可能性があるが沸き増し休止中であると判断でき、沸き増し運転をユーザーに推奨する旨の報知を確実にユーザーに報知し、貯湯タンクの湯切れによりユーザーが不快な思いをするのを防ぐことができる。
【図面の簡単な説明】
【０００８】
【図１】本発明の第１実施形態の概略説明図
【図２】本発明の沸き増し推奨判定手段の動作を表すフローチャート
【発明を実施するための形態】
【０００９】
次に、本発明の第１実施形態を図面に基づいて説明する。
１は温水を貯湯する貯湯タンク、２は温水を加熱する加熱手段としてのヒートポンプユニット、３は浴槽である。
【００１０】
４は貯湯タンク１とヒートポンプユニット２を循環可能に接続する加熱循環回路で、加熱循環ポンプ５を有し貯湯タンク１の下部に接続されたヒーポン往き管及び貯湯タンク１上部に接続されたヒーポン戻り管より構成され、貯湯タンク１下部の冷水を、ヒーポン往き管を介してヒートポンプユニット２で加熱し、加熱された高温の温水をヒーポン戻り管で貯湯タンク１上部に戻して貯湯タンク１内に温水を加熱貯湯するものである。なお、貯湯タンク１の外周面には貯湯温度センサ６を複数有しており、この複数の貯湯温度センサ６がそれぞれの温度を検出することで残湯量を検出するものである。
【００１１】
７は貯湯タンク１に水を供給する給水管、８は貯湯タンク１内の温水を出湯する出湯管、９は給水管７から分岐し、貯湯タンク１を迂回する給水バイパス管、１０は給水バイパス管９からの冷水と出湯管８からの温水を設定温度になるように混合する給湯混合弁、１１は混合された設定温度の温水を給湯する給湯管、１２は給湯管１１の端部に設けられる給湯栓である。１３は給湯混合弁１０の下流に設けた給湯温度センサ、１４は給湯量をカウントする給湯流量センサである。なお、１５は水道圧を所定の圧力に減圧する減圧弁、１６は加熱されることによる過圧を逃がす圧力逃し弁である。
【００１２】
１７は風呂循環回路で、貯湯タンク１内の湯水と循環する風呂の湯水とを熱交換させる風呂熱交換器１８と浴槽３とを、浴槽３から風呂熱交換器１８に向かう風呂往き管１７ａ及び風呂熱交換器１８から浴槽３に向かう風呂戻り管１７ｂとで循環可能に接続するものである。
【００１３】
１９は風呂循環回路１７に設けられた風呂循環ポンプ、２０は流水の有無を検出する流水センサ、２１は風呂循環回路１６を流れる風呂の温度を検出する風呂温度センサ、２２の湯水の水圧から浴槽３内の水位を検出する水位センサであり、風呂循環回路１７途中の風呂循環ポンプ１９よりも上流側に設けられている。
【００１４】
２３は給湯管１１途中から分岐されて風呂循環回路１７に接続され浴槽３への湯張りを行うための湯張り管、２４はこの湯張り管２３に設けられ浴槽３への湯張りの開始、停止を行う湯張り弁、２５は浴槽３への湯張り量をカウントする風呂流量センサである。なお、２６は湯張り管２３と水位センサ２２との間に設けられる二方弁で、湯張り時に一旦開弁して風呂戻り管１７ｂの湯張り管２３から浴槽３までの配管のエアパージを行った後、閉弁して水位センサ２２で正確な水位を監視しながら湯張りを行えるようにするものである。
【００１５】
２７は給湯および風呂の制御を行う制御装置である。制御装置２７には、電気料金が安い所定時間帯の深夜時間帯に加熱循環回路４を介してヒートポンプユニット２で貯湯タンク１内の湯を加熱する沸き上げ運転を制御する沸き上げ運転制御手段２８と、貯湯温度センサ６に基づいて残湯量を算出し、過去の湯の使用履歴等から所定残湯量を算出し、この所定残湯量よりも現在の残湯量が少なくなった場合、前記沸き上げ運転まで残湯を確保するために深夜時間帯外に貯湯タンク１の湯を加熱する沸き増し運転を制御する沸き増し運転制御手段２９と、所定残湯量よりも現在の残湯量が少なくなっても沸き増し運転を行わない設定がリモコンでされているか否かを判定する休止判定手段３０とが備えられている。
【００１６】
３１は制御装置２７と通信可能で、浴室内に設けられた浴室内リモコンであり、沸き増し運転を行わないようにする設定や、沸き増し運転の開始を制御装置２７に出力することができる加熱スイッチ等を有する操作部３２と、設定内容を表示すると共に所定の動作を促す表示をする表示部３３と、各種の設定情報やユーザーに所定の動作を促す報知部３４と、リモコンの近傍に人がいるか否かを検出する人感センサ３５とが設けられている。また、この表示部３３と報知部３４との少なくとも１つを含んだ報知手段とする。
【００１７】
人感センサ３５は、検出エリア内の熱源の温度変化量を検出する焦電センサであり、検出エリア内に人がいることを検出する。具体的には、人感センサ３５は、人が移動したときや手足などを動かすことによる検出エリアの温度変化を検出することにより、リモコンの近傍に人がいるか否かを検出するものであり、人感センサ３５の検出結果に基づいて、制御装置２７に設けられた人判定手段３６でリモコン近傍に人がいるか否かの判定を行う。
【００１８】
そして、３７は制御装置２７と通信可能で、浴室内に設けられた浴室外リモコンであり、浴室内リモコン３１と同様に操作部３２、表示部３３、報知部３４とを有しており、さらに人感センサ３５を備えることも可能であり、人判定手段３６として浴室外の台所等のリモコン近傍に人がいるか否かを判定することもできる。
【００１９】
また、制御装置２７には、沸き増し運転をユーザーに推奨する旨の報知を行う沸き増し推奨判定手段３８が備えられ、沸き増し推奨判定手段３８は、人判定手段３６でリモコン近傍に人がいることを判定した場合、休止判定手段３０で沸き増し運転を行わない設定がされていることを判定していると共に、深夜時間帯以外の時間帯に貯湯タンク１内の残湯量が所定残湯量よりも少なくなっていることを検出すると、報知部３４で沸き増し運転をユーザーに推奨する旨の報知を行う。
【００２０】
次に、沸き上げ運転について説明する。
深夜時間帯に制御装置２７の沸き上げ運転制御手段２８は、貯湯タンク１とヒートポンプユニット２を繋ぐ配管の途中にある加熱循環ポンプ５を駆動して、貯湯タンク１内下部から水をくみ上げ、ヒートポンプユニット２で温めて貯湯タンク１上部に戻す動作を続ける事により徐々に貯湯タンク１内の水が高温水へと沸き上げる。
【００２１】
また、沸き増し運転について説明する。
深夜時間帯外の時間帯にリモコンの操作によるユーザーの沸き増し要求、もしくは、貯湯温度センサ６で検出した現在の残湯量が所定残湯量よりも少なくなったことを検出すると、制御装置２７の沸き増し運転制御手段２９は、貯湯タンク１とヒートポンプユニット２を繋ぐ配管の途中にある加熱循環ポンプ５を駆動して、貯湯タンク１内下部から水をくみ上げ、ヒートポンプユニット２で温めて貯湯タンク１上部に戻す動作を続ける事により徐々に貯湯タンク１内の水が高温水へと沸き増しする。
【００２２】
また、沸き増し運転の休止設定について説明する。
操作部３２で深夜時間帯外の時間帯の沸き増し運転の休止を設定することができ、沸き増し運転の休止を設定されていることを休止判定手段３０で判定した場合は、貯湯温度センサ６で検出した残湯量が所定残湯量よりも少なくなっても沸き増し運転を開始しない。
【００２３】
次に、沸き増し推奨判定手段３８の動作について図２のフローチャートに基づいて詳しく説明する。
まず、沸き増し推奨判定手段３８は、深夜時間帯外であるかの確認をし（Ｓ１）、深夜時間帯内であれば（Ｓ１がＮｏ）、報知部３４から沸き増し運転をユーザーに推奨する旨の報知を行わず、沸き上げ運転の開始時刻まで待機して（Ｓ２）、沸き上げ運転制御手段２８は沸き上げ運転で貯湯タンク１の湯の沸き上げを行う。
【００２４】
このように、沸き増し推奨判定手段３８は、電気料金が安い所定時間帯の深夜時間帯である場合、沸き上げ運転が開始されるので、沸き増し運転を待機して沸き増し運転を行わないようにすることで無駄な沸き増し運転によるエネルギーを節約することができる。
【００２５】
また、深夜時間帯外である場合において（Ｓ１がＹｅｓ）、沸き増し推奨判定手段３８は、リモコンの近傍に人がいるか否かの判定を行う人判定手段３６で人がリモコン近傍にいないと判定した場合（Ｓ３がＹｅｓ）、報知部３４から沸き増し運転をユーザーに推奨する旨の報知を行わない（Ｓ４）。
【００２６】
このように、リモコン近傍に人がいない場合、リモコンの報知部３４から沸き増し運転をユーザーに推奨する旨の報知をしてもユーザーに伝わらない恐れがあるため、沸き増しお知らせを行わないことで、無駄な報知を行わないようにすることができる。
【００２７】
また、深夜時間帯外である場合において（Ｓ１がＹｅｓ）、沸き増し推奨判定手段３８は、リモコンの近傍に人がいるか否かの判定を行う人判定手段３６で人がリモコン近傍にいると判定した場合（Ｓ３がＮｏ）、現在の貯湯タンク１の残湯量が所定残湯量よりも多いときは（Ｓ５がＹｅｓ）、沸き増し運転をユーザーに推奨する旨の報知を行わない（Ｓ４）。
【００２８】
このように、リモコンの近傍に人がいると判定した場合でも、現在の貯湯タンク１の残湯量が所定残湯量よりも多いときは、沸き増し運転を行う必要がないため、無駄な報知を行わないようにすることができる。
【００２９】
また、深夜時間帯外である場合において（Ｓ１がＹｅｓ）、沸き増し推奨判定手段３８は、リモコンの近傍に人がいるか否かの判定を行う人判定手段３６で人がリモコン近傍にいると判定した場合（Ｓ３がＮｏ）、現在の貯湯タンク１の残湯量が所定残湯量よりも少ないと共に（Ｓ５がＮｏ）、休止判定手段３０が沸き増し休止を設定されていることを判定すると（Ｓ６がＹｅｓ）、沸き増し運転をユーザーに推奨する旨の報知を行う（Ｓ７）。
【００３０】
このように、リモコンの近傍に人がいると判定した場合、現在の貯湯タンク１の残湯量が所定残湯量よりも少ないと共に、休止判定手段３０が沸き増し休止を設定されていることを判定すると、沸き増し運転をしなければ湯切れの可能性があるが沸き増し休止中であると判断でき、沸き増し運転をユーザーに推奨する旨の報知を確実にユーザーに報知し、貯湯タンク１の湯切れによりユーザーが不快な思いをするのを防ぐことができる。
【００３１】
また、深夜時間帯外である場合において（Ｓ１がＹｅｓ）、沸き増し推奨判定手段３８は、リモコンの近傍に人がいるか否かの判定を行う人判定手段３６で人がリモコン近傍にいると判定した場合（Ｓ３がＮｏ）、現在の貯湯タンク１の残湯量が所定残湯量よりも少ないと共に（Ｓ５がＮｏ）、休止判定手段３０が沸き増し休止を設定されていないことを判定すると（Ｓ６がＮｏ）、沸き増し運転制御手段２９は沸き増し運転を開始する（Ｓ８）。
【００３２】
このように、リモコンの近傍に人がいると判定した場合、現在の貯湯タンク１の残湯量が所定残湯量よりも少ないと共に、休止判定手段３０が沸き増し休止を設定されていないと判定すると、湯切れする可能性があるため沸き増し運転制御手段２９は沸き増し運転を開始することで、貯湯タンク１の湯切れによりユーザーが不快な思いをするのを防ぐことができる。
【００３３】
なお、本発明は本実施例に限定されるものではなく、要旨を変更しない範囲で改変する事を妨げるものではなく、例えば、図１の概略構成図のように人感センサ３５は浴室内リモコン３１に備えられており、ユーザーが浴室に入室した時に報知部３４から沸き増し運転をユーザーに推奨する旨の報知をするようにしているが、浴室外リモコン３７に人感センサ３５備えることで、ユーザーが台所等で作業をしている場合でも確実にリモコンの近傍にいるユーザーに報知することができる。
【００３４】
また、人判定手段３６は人感センサ３５の検出値に基づいて判定しているが、人が浴室に入室したことを検出する入室判定手段でもよい。
【００３５】
また、ここでは報知部３４の発音による報知で沸き増し運転をユーザーに推奨する旨の報知を行っているが、表示部３３の表示でも沸き増し運転をユーザーに推奨する旨の報知をすることができ、この表示部３３と報知部３４とを報知手段とし、沸き増し運転をユーザーに推奨する旨の報知を表示部３３と報知部３４の両方から報知することもできる。
【符号の説明】
【００３６】
１      貯湯タンク
６      貯湯温度センサ
２７    制御装置
２８    沸き上げ運転制御手段
２９    沸き増し運転制御手段
３０    休止判定手段
３１    浴室内リモコン
３２    操作部
３３    表示部
３４    報知部
３５    人感センサ
３６    人判定手段
３７    浴室外リモコン
３８    沸き増し推奨判定手段
【図１】
2020186836.tif 000003
【図２】
2020186836.tif 000004